(57)【要約】  キャリア及び蓋を備える装置であって、キャリアは、紙幣を受けるよう構成され、且つキャリア内の前記紙幣への接近を防止するよう蓋を内部に摺動させることができる側部を有し、キャリアの側部は、蓋の側部と係合する手段を有し、蓋は、第一の部材を備える前縁を有し、第一の部材は、対応して成形されるキャリア上の第二の部材と共に不可逆式のロックを形成するよう成形され、第一の部材及び第二の部材のうちの一方は雄部材を備え、第一の部材及び第二の部材のうちの他方は雌部材を備える装置。
2020530178.tif 000002
【特許請求の範囲】
【請求項１】
キャリア及び蓋を備える装置であって、前記キャリアは、紙幣又は他の物品を受けるよう適合し及び前記キャリア内の前記紙幣又は他の物品に近づくことを防止するよう前記蓋を内部に摺動させることができる側部を有し、前記キャリアの前記側部は、前記蓋の前記側部と係合する手段を有し、前記蓋は、第一の部材を備える前縁を有し、前記第一の部材は対応して前記キャリア上に成形される第二の部材と共に不可逆式のロックを形成するよう成形され、前記第一の部材及び前記第二の部材のうちの一方は雄部材を備え、前記第一の部材及び前記第二の部材のうちの他方は雌部材を備え、
前記雄部材及び前記雌部材は、前記蓋と前記キャリアが係合した際に前記蓋の平面と直交する方向に突出する鋸歯状部をそれぞれ備え、
前記雄部材及び前記雌部材は、連結部をそれぞれさらに備え、
前記雄部材及び前記雌部材の前記鋸歯状部、並びに前記雄部材及び前記雌部材の前記連結部は、互いに係合して前記キャリアから前記蓋が引き抜かれることを防止するようそれぞれ位置付けられ、
前記雌部材の前記鋸歯状部は斜面を備え、前記斜面は、前記雄部材を前記雌部材に挿入する間の前記雄部材の前記鋸歯状部による前記斜面の係合が、前記雌部材の前記鋸歯状部が突出する前記雌部材の表面から前記雄部材を離間させるよう構成され、離間により前記雄部材の一部が前記雌部材の前記連結部を通過することが可能となり、これによって前記連結部が連結係合することが可能となる装置。
【請求項２】
前記雄部材が実質的に平面状である請求項１に記載の装置。
【請求項３】
前記雄部材が舌片を備える請求項１又は２に記載の装置。
【請求項４】
前記雌部材の前記連結部を通過する前記雄部材の一部は、実質的に平面状である請求項１から３のいずれか一項に記載の装置。
【請求項５】
前記連結部を通過する前記雄部材の一部は、前記鋸歯状部から離間し／解放される、請求項１から４のいずれか一項に記載の装置。
【請求項６】
前記鋸歯状部が突出する前記表面は、前記雌部材のベースを形成し、前記蓋と前記キャリアが係合した際に前記蓋の前記平面と直交する方向に前記ベースから離間する頂部が設けられる請求項１から５のいずれか一項に記載の装置。
【請求項７】
前記頂部と前記雌部材上の前記連結部との間の隙間は、前記蓋と前記雌部材の前記鋸歯状部との隙間よりも小さい請求項６に記載の装置。
【請求項８】
前記頂部は、実質的に閉鎖されている請求項６又は７に記載の装置。
【請求項９】
前記頂部及び前記ベースは、前記蓋及び前記ベースと実質的に直交して前記ベースと前記頂部の間に延びる１つ又は複数の側壁によって接合され、前記雌部材の前記連結部は、前記側壁から、前記蓋と前記キャリアが係合した際の前記蓋の前記平面に突出する請求項６から８のいずれか一項に記載の装置。
【請求項１０】
前記雌部材の前記連結部は、切り欠きを備え、及び前記雌部材の前記連結部は突起を備え、前記突起は前記切り欠きに少なくとも部分的に受けられるよう構成された請求項１から９のいずれか一項に記載の装置。
【請求項１１】
前記雌部材は、開いている口以外は実質的に閉じられている有孔構造を備えた請求項６から１０のいずれか一項に記載の装置。
【請求項１２】
前記雄部材は、前記雄部材と前記雌部材が不可逆式のロックを形成した際に、前記雌部材の前記口を前記雄部材が実質的に閉じるよう形成された請求項１１に記載の装置。
【請求項１３】
前記雄部材は、前縁を備え、前記前縁は、前記雄部材及び前記雌部材の挿入軸に沿って延びる挿入方向における前記雄部材の前方最先端であり、前記鋸歯状部は、前記前縁に隣接する請求項６から１２のいずれか一項に記載の装置。
【請求項１４】
前記雄部材の前記鋸歯状部の前記斜面は、前記雄部材の前記連結部の前記挿入方向の前方に位置する請求項１３に記載の装置。
【請求項１５】
複数の鋸歯状部及び／又は複数の連結部が、前記雄部材及び前記雌部材それぞれの上に存在する請求項１から１４のいずれか一項に記載の装置。
【請求項１６】
前記雌部材は、一対の前記連結部であって、対向する側壁上に設けられかつ互いに向かって突出する一対の前記連結部を備える請求項９に従属する請求項１４に記載の装置。
【請求項１７】
第一の部材を備えたロックであって、前記第一の部材は、対応して成形される第二の部材と共に、前記第一の部材と前記第二の部材の相対的な摺動運動によって不可逆式のロックを形成するよう成形され、前記第一の部材及び前記第二の部材のうちの一方は雄部材を備え、前記第一の部材及び前記第二の部材のうちの他方は雌部材を備え、
前記雄部材及び前記雌部材は鋸歯状部をそれぞれ備え、前記鋸歯状部は前記雌部材の平面と直交する方向に突出しており、
前記雄部材及び前記雌部材は、連結部をそれぞれさらに備え、
前記雄部材及び前記雌部材の前記鋸歯状部並びに前記雄部材及び前記雌部材の前記連結部は、互いに係合して前記雄部材から前記雌部材が引き抜かれることを防止するようそれぞれ位置付けられ、
前記雌部材の前記鋸歯状部は、斜面を備え、前記斜面は、前記雄部材を前記雌部材に挿入する間に前記雄部材の前記鋸歯状部による前記斜面の係合が、前記雌部材の前記鋸歯状部が突出する前記雌部材の表面から前記雄部材を離間させるよう構成され、離間により前記雄部材の一部は、前記雌部材の前記連結部を通過することが可能となり、これによって前記連結部は噛み合わさって係合することが可能となるロック。
【請求項１８】
キャリア及び蓋を備える装置であって、前記キャリアは、紙幣又は他の物品を受けるよう適合し、且つ前記キャリア内の前記紙幣又は他の物品に近づくことを防止するよう前記蓋を内部に摺動させることができる側部を有し、前記キャリアの前記側部は、前記蓋の側部と係合する手段を有し、前記蓋は、第一の部材を備える前縁を有し、前記第一の部材は、対応して成形される前記キャリア上の第二の部材と共に不可逆式のロックを形成するよう成形され、前記第一の部材及び前記第二の部材のうちの一方は雄部材を備え、前記第一の部材及び前記第二の部材のうちの他方は雌部材を備え、
前記雌部材は、前記雄部材を受けるための口及び前記口から又は前記口に隣接する場所から突出するシールドを備える装置。
【請求項１９】
前記シールドは、前記雄部材の幅と実質的に等しい幅を有する請求項１８に記載の装置。
【請求項２０】
前記シールドは、前記キャリアのベースに隣接して横たわる前記口の縁の上、及び／又は前記紙幣又は他の物品を受けるために前記キャリアに付属される袋又はポーチに隣接して設けられる請求項１８又は１９に記載の装置。
【請求項２１】
前記シールドは、実質的に平面状である、請求項１８から２０のいずれか一項に記載の装置。
【請求項２２】
前記シールドは、５ｍｍ以下の長さで前記口から突出する請求項１８から２１のいずれか一項に記載の装置。
【請求項２３】
キャリア及び蓋を備える装置であって、前記キャリアは、紙幣又は他の物品を受けるよう適合し、及び前記キャリア内の前記紙幣又は他の物品に近づくことを防止するよう前記蓋を内部に摺動させることができる側部を有し、前記キャリアの前記側部は、前記蓋の側部と係合する手段を有し、前記蓋は、第一の部材を備える前縁を有し、前記第一の部材は、対応して成形される前記キャリア上の第二の部材と共に不可逆式のロックを形成するよう成形され、前記第一の部材及び前記第二の部材のうちの一方は雄部材を備え、前記第一の部材及び前記第二の部材のうちの他方は雌部材を備え、
前記キャリアに対向する前記蓋の表面は、前記第一の部材に直接隣接する凹所を備える装置。
【請求項２４】
前記凹所は、リブによって前記第一の部材から分離されている請求項２３に記載の装置。
【請求項２５】
複数の凹所が前記第一の部材に直接隣接して設けられ、前記複数の凹所は、複数のリブによって互いに分離されている請求項２３又は２４に記載の装置。
【請求項２６】
２つ以上の凹所の列が設けられている請求項２５に記載の装置。
【請求項２７】
キャリア及び蓋を備える装置であって、前記キャリアは、紙幣又は他の物品を受けるよう適合し、及び前記キャリア内の前記紙幣又は他の物品に近づくことを防止するよう前記蓋を内部に摺動させることができる側部を有し、前記キャリアの前記側部は、前記蓋の側部と係合する手段を有し、前記蓋は、第一の部材を備える前縁を有し、前記第一の部材は、対応して成形される前記キャリア上の第二の部材と共に不可逆式のロックを形成するよう成形され、前記第一の部材及び前記第二の部材のうちの一方は雄部材を備え、前記第一の部材及び前記第二の部材のうちの他方は雌部材を備え、
前記雌部材は、前記雄部材を受けるための口を備え、バリアが前記口に直接隣接する前記雌部材内部に設けられている装置。
【請求項２８】
前記バリアが、実質的に前記口の幅にわたって広がっている請求項２７に記載の装置。
【請求項２９】
前記バリアが、鋸歯状部が突出する前記雌部材の表面から突出している請求項２７又は２８に記載の装置。
【請求項３０】
前記バリアが、前記雌部材の前記表面から離間してかつ平行に横たわっている平坦な表面を有する請求項２９に記載の装置。
【請求項３１】
前記バリアが、リブを備えている請求項２７から３０のいずれか一項に記載の装置。
【請求項３２】
キャリア及び蓋を備える装置であって、前記キャリアは、紙幣又は他の物品を受けるよう適合し、及び前記キャリア内の前記紙幣又は他の物品に近づくことを防止するよう前記蓋を内部に摺動させることができる側部を有し、前記キャリアの前記側部は、前記蓋の側部と係合する手段を有し、前記蓋は、第一の部材を備える前縁を有し、前記第一の部材は、対応して成形される前記キャリア上の第二の部材と共に不可逆式のロックを形成するよう成形され、前記第一の部材及び前記第二の部材のうちの一方は雄部材を備え、前記第一の部材及び前記第二の部材のうちの他方は雌部材を備え、
前記雄部材及び前記雌部材は鋸歯状部をそれぞれ備え、前記鋸歯状部は、前記蓋と前記キャリアが係合した際に前記蓋の平面と直交する方向に突出し、前記雄部材及び前記雌部材の前記鋸歯状部は、互いに係合して前記キャリアから前記蓋が引き抜かれることを防止するよう位置し、
前記雌部材は、前記雄部材を受けるための口を備え、バリアが前記雌部材の内側に備えられ、
前記雌部材の前記鋸歯状部は、前記バリアと同一の面から突出し、かつ前記バリアよりも前記雌部材の内側に配された装置。
【請求項３３】
キャリア及び蓋を備える装置であって、前記キャリアは、紙幣又は他の物品を受けるよう適合し、及び前記キャリア内の前記紙幣又は他の物品に近づくことを防止するよう前記蓋を内部に摺動させることができる側部を有し、前記キャリアの前記側部は、前記蓋の側部と係合する手段を有し、前記蓋は、前縁及び後縁を有し、前記前縁は、第一の部材であって、対応して成形される前記キャリア上の第二の部材と共に不可逆式のロックを形成するよう成形される第一の部材を備え、前記第一の部材及び前記第二の部材のうちの一方は雄部材を備え、前記第一の部材及び前記第二の部材のうちの他方は雌部材を備え、前記後縁は、対応して成形される前記キャリア上の第四の部材と共に不可逆式のロックを形成するよう成形されている第三の部材を備え、前記第三の部材及び前記第四の部材のうちの一方は雄部材を備え、前記第三の部材及び前記第四の部材のうちの他方は雌部材を備え、前記第三の部材への接近を防止するよう前記第三の部材を覆うためのカバーが前記蓋に固定された装置。
【請求項３４】
前記カバーは、前記蓋と前記キャリアが係合する際に前記キャリアと異なる面を向く前記蓋の面に固定されている請求項３３に記載の装置。
【請求項３５】
前記カバーは、前記蓋に溶接又は接着されている請求項３３又は３４に記載の装置。
【請求項３６】
前記第三の部材は、前記蓋と単一的に形成されている請求項３３から３５のいずれか一項に記載の装置。
【請求項３７】
前記第三の部材及び前記蓋は、一体的に鋳造されている請求項３３から３６のいずれか一項に記載の装置。
【請求項３８】
前記第三の部材が、前記キャリア上の対応する機構と一定方向で係合する鋸歯状部を備えた請求項３３から３７のいずれか一項に記載の装置。
【請求項３９】
前記係合する手段は、前記蓋の前記平面と直交する「垂直」方向に前記蓋の前記側部を覆って当該方向への前記蓋と前記キャリアの分離をそれらの側縁部で防止する請求項１から３８のいずれか一項に記載の装置。
【請求項４０】
前記蓋は複数の孔を備え、前記複数の孔は、不正開封された場合に前記キャリアの内容物の一部又は全部を記録し、及びそこからの前記内容物の引き抜きを防止するよう形成されている請求項１から３９のいずれか一項に記載の装置。
【請求項４１】
前記キャリアの前記側部はチャネルを備え、前記第二の部材は、前記チャネルへの開口の一部又は全部を覆うためのカバータブを備えている請求項１から４０のいずれか一項に記載の装置。
【発明の詳細な説明】
【技術分野】
【０００１】
本発明は、ロック、特に紙幣又は他の物品の保管及び輸送のための不正開封防止付き装置に使用するのに好適なロック及び当該ロックを備える装置に関する。
【背景技術】
【０００２】
紙幣を中に入れることができるが、その後不正開封があったという証拠を残さずには紙幣を取り出すことができない携帯型紙幣キャリアの提供が知られている。この種のキャリアは、一般にレジで使用され、レジ内の紙幣の束が特定量を超えた際、レジ管理係はキャリアに紙幣を入れることができ、その後キャリアは、定期的に又は一日の終わりに施錠され、レジにおけるキャリアの設置位置から取り外され、レジを識別する標識が記録されて集計及び預金のために引き渡される。
【０００３】
そのような方式では、キャリアがレジから離れた後に不正開封があれば明らかであるため、レジ係は、キャリアに入れられた金額を数える必要がない。昨今、レジ係の当初の拠点から離れていている可能性のある「店舗外の（ｏｕｔ  ｏｆ  ｈｏｕｓｅ）」中央会計拠点又は銀行で、キャリアの集計が行われることがよく好まれる。キャリアは、警備輸送会社といった異なる組織の人によって扱われることもある。従って、不正開封の防止が求められるだけでなく、キャリア及びその蓋は、キャリアを返却する不便さ及び費用から、軽量であり且つ再生利用可能であることが好ましい。
【０００４】
欧州特許出願公開第１３１４１４４号明細書は、紙幣を受けるために支持体構造中の所定位置にキャリアが係止され、キャリアの取り外しが必要とされる際は、不正開封防止蓋がキャリア全体にわたって挿入された後にのみキャリアを取り外すことができる方式の一例を記載する。当該機構は、蓋を取り付け、その後支持体構造からキャリアを取り外す手順の間、紙幣を取り出すことができないよう設計されている。蓋は、キャリア上を一定方向のみに摺動し、蓋が完全に係合した際に係止する末端止め具があり、その時点で支持体構造からの解放が可能となる。キャリアに接近するためには、蓋を同一定方向に摺動させて蓋が導入された反対端でキャリアから外すことができるよう末端止め具を破壊する必要がある。
【０００５】
しかし、そのような構成における蓋のチャネル及びキャリア上部は、薄くするか、又は一部のプラスチック材料で作製すると、それらが分離されてこじ開けられ、不正開封された証拠を残さずに紙幣が取り出されるのに十分な可撓性を有することが見出された。関連する部材を厚くするか、又は異なる材料で作製する必要なく、このようなことが起こり得ないことを確実にすることが望まれることは明らかである。実際に、場合により部品をより薄くできること、及び部品をより再生利用可能な材料で作製できることは好ましく、改善された構成が開発された。欧州特許第１８３９２８１号明細書は、キャリア及び蓋を備える装置であって、キャリアは、紙幣を受けるよう構成され、且つキャリア内の紙幣への接近を防止するよう蓋をその内部に摺動させることができる側部を有し、キャリアの側部は、蓋の側部と係合する手段を有し、係合する手段は、蓋の平面と直交する「垂直」方向に蓋の側部を覆って当該方向における蓋とキャリアの分離をそれらの側縁部で防止する装置を備える、そのような改善された構成の一例を記載する。
【発明の概要】
【発明が解決しようとする課題】
【０００６】
本発明は、不正開封防止付きの紙幣の保管及び輸送のためのさらに改善された装置の開発において発明された。なお、本発明の装置は、紙幣の保管及び輸送を念頭に置いて提供されるが、本装置は、例えば他の形態の支払票（郵便為替、小切手、クレジットカード利用控、クーポン、及び／又は前払式証票）が挙げられるがそれらに限定されない他の物品の不正開封が防止された保管及び輸送にも使用（又は特許請求の範囲内で適用）されてもよい。同様に、ロックは、紙幣の保管及び輸送以外の分野で適用されてもよいと理解されるべきである。
【課題を解決するための手段】
【０００７】
本発明の第一の態様によると、請求項１に記載のキャリア及び蓋を備える装置が提供される。
【０００８】
本発明の更なる態様によると、以下が提供される。
【０００９】
キャリア及び蓋を備える装置であって、前記キャリアは、紙幣又は他の物品を受けるよう適合し、及び前記キャリア内の前記紙幣又は他の物品に近づくことを防止するよう前記蓋を内部に摺動させることができる側部を有し、前記キャリアの前記側部は、前記蓋の側部と係合する手段を有し、前記蓋は、第一の部材を備える前縁を有し、前記第一の部材は、対応して成形される前記キャリア上の第二の部材と共に不可逆式のロックを形成するよう成形され、前記第一の部材及び前記第二の部材のうちの一方は雄部材を備え、前記第一の部材及び前記第二の部材のうちの他方は雌部材を備え、前記雌部材は、前記雄部材を受けるための口及び前記口から突出するシールドを備える装置。
【００１０】
キャリア及び蓋を備える装置であって、前記キャリアは、紙幣又は他の物品を受けるよう適合し、及び前記キャリア内の前記紙幣又は他の物品に近づくことを防止するよう前記蓋を内部に摺動させることができる側部を有し、前記キャリアの前記側部は、前記蓋の側部と係合する手段を有し、前記蓋は、第一の部材を備える前縁を有し、前記第一の部材は、対応して成形される前記キャリア上の第二の部材と共に不可逆式のロックを形成するよう成形され、前記第一の部材及び前記第二の部材のうちの一方は雄部材を備え、前記第一の部材及び前記第二の部材のうちの他方は雌部材を備え、前記キャリアに対向する前記蓋の表面は、前記第一の部材に直接隣接する凹所を備えている装置。
【００１１】
キャリア及び蓋を備える装置であって、前記キャリアは、紙幣又は他の物品を受けるよう適合し、及び前記キャリア内の前記紙幣又は他の物品に近づくことを防止するよう前記蓋を内部に摺動させることができる側部を有し、前記キャリアの前記側部は、前記蓋の側部と係合する手段を有し、前記蓋は、第一の部材を備える前縁を有し、前記第一の部材は、対応して成形される前記キャリア上の第二の部材と共に不可逆式のロックを形成するよう成形され、前記第一の部材及び前記第二の部材のうちの一方は雄部材を備え、前記第一の部材及び前記第二の部材のうちの他方は雌部材を備え、前記雌部材は、前記雄部材を受けるための口を備え、バリアが前記口に直接隣接する前記雌部材内部に設けられている装置。
【００１２】
キャリア及び蓋を備える装置であって、前記キャリアは、紙幣又は他の物品を受けるよう適合し、及び前記キャリア内の前記紙幣又は他の物品に近づくことを防止するよう前記蓋を内部に摺動させることができる側部を有し、前記キャリアの前記側部は、前記蓋の側部と係合する手段を有し、前記蓋は、第一の部材を備える前縁を有し、前記第一の部材は、対応して成形される前記キャリア上の第二の部材と共に不可逆式のロックを形成するよう成形され、前記第一の部材及び前記第二の部材のうちの一方は雄部材を備え、前記第一の部材及び前記第二の部材のうちの他方は雌部材を備え、前記雄部材及び前記雌部材は鋸歯状部をそれぞれ備え、前記鋸歯状部は、前記蓋と前記キャリアが係合した際に前記蓋の平面と直交する方向に突出し、前記雄部材及び前記雌部材の前記鋸歯状部は、互いに係合して前記キャリアから前記蓋が引き抜かれることを防止するよう位置し、前記雌部材は、前記雄部材を受けるための口を備え、バリアが前記雌部材の内側に備えられ、前記雌部材の前記鋸歯状部は、前記バリアと同一の面から突出し、かつ前記バリアよりも前記雌部材の内側に配された装置。
【００１３】
キャリア及び蓋を備える装置であって、前記キャリアは、紙幣又は他の物品を受けるよう適合し、及び前記キャリア内の前記紙幣又は他の物品に近づくことを防止するよう前記蓋を内部に摺動させることができる側部を有し、前記キャリアの前記側部は、前記蓋の側部と係合する手段を有し、前記蓋は、前縁及び後縁を有し、前記前縁は、第一の部材であって、対応して成形される前記キャリア上の第二の部材と共に不可逆式のロックを形成するよう成形される第一の部材を備え、前記第一の部材及び前記第二の部材のうちの一方は雄部材を備え、前記第一の部材及び前記第二の部材のうちの他方は雌部材を備え、前記後縁は、対応して成形される前記キャリア上の第四の部材と共に不可逆式のロックを形成するよう成形されている第三の部材を備え、前記第三の部材及び前記第四の部材のうちの一方は雄部材を備え、前記第三の部材及び前記第四の部材のうちの他方は雌部材を備え、前記第三の部材に近づくことを防止するよう前記第三の部材を覆うためのカバーが前記蓋に固定された装置。
【００１４】
なお、前述の態様の何れかを単独で採用してもよく、又は前述の態様の何れかを残る態様の何れか１つ、複数、若しくは全てと組み合わせて採用してもよい。
【００１５】
好ましい機構は、従属項中にさらに示される。
【００１６】
以下、本発明の実施形態を、添付の図面を参照して説明する。
【図面の簡単な説明】
【００１７】
【図１】キャリアの一例の斜視図である。
【図２】図１に示されるキャリアの一部の斜視図である。
【図３】図１に示されるキャリアに使用するのに適する蓋の一例の斜視図である。
【図４】図３に示される蓋の一部の斜視図である。
【図５】図１及び図３に示されるキャリア及び蓋の断面図を示す図である。
【図６】キャリアに取り付けられる紙幣用の袋を有するキャリアを下から見た斜視図である。
【図７】図６に示されるキャリア及び袋の別の図である。
【図８】図６に示されるキャリア及び袋のさらに別の図である。
【図９】本発明にかかるロックの雄部材の上面斜視図である。
【図１０】図９の雄部材の底面斜視図である。
【図１１】図１１ａ及び図１１ｂは、本発明にかかるロックの他の雌部材の部分上面斜視図である。
【図１２】取り外された雌部材を規定する挿入部を有するキャリアのフレーム前部の部分斜視図である。
【図１３】本発明にかかるロックの係合状態における部分上面斜視図である。
【発明を実施するための形態】
【００１８】
図１〜図８は、欧州特許第１８３９２８１号明細書に示される装置に沿う装置の一例に関する。欧州特許第１８３９２８１号明細書の全内容は、参照により本明細書に組み込まれている。なお、本例の装置は、本発明に必要とされるロックの特徴を割愛するが、本発明の実施形態に従い、本例の装置は、図９〜図１２の実施形態を参照して説明されるように、（後述する）挿入部７５及び９３を適切に修正／置換することによって、必要とされるロックを含むよう修正される。かかる本発明に沿う装置は、ここではされているが英国特許出願公開第２４５５５８号明細書で開示され、その内容が参照により本明細書に組み込まれる構成に沿ってさらに修正されてもよい。
【００１９】
図１は、本例によるキャリア１の斜視図である。キャリア１は、大きな長手方向中央開口７２及び２つのサイドフラップ７３を有する平坦なフラットベース７１を備え、２つのサイドフラップ７３は、材料を減らしかつそれらの可撓性を高めるために開口している。ベースの各側縁部は、それぞれ、図５を参照してさらに説明される２つの箱形断面長手方向チャネル７４のうちの１つである。そのチャネルは、蓋の対応する側部を完全に取り囲む（図３参照）。キャリアの前端には、両チャネル７４の前端の間のキャリアにわたって架かる挿入部７５が配置される。
【００２０】
図２は、延伸プレート７６を備える（図１の向きから上下を返した）挿入部７５を示し、プレート７６は、部分的には強化するため、部分的には蓋の前方突起を受けるため、また部分的には各開口７８をセントラルオープンボックス部７９と共に画定するためにプレート７６と一体となったオープンボックス部７７を各端に有している。セントラルボックス部７９の内には、隆起した鋸歯８０がプレート７６上に配置され、鋸歯８０は、実質的に「垂直」に向いている。セントラルボックス部は、キャリア１のベース７１から前方に延び、対応する大きさ及び形状に形成された前側タブ８１（図１）に嵌合する。
【００２１】
図３は、図１に示されるキャリア１に使用するための蓋５を示す。蓋５は、概して平坦なプレート９１及びキャリア１のチャネル７４内部に摺動して嵌合する２つの長手方向側部を備えている。蓋は、その前端に挿入部９３を備えている。
【００２２】
図４に示されるように、挿入部９３は、延伸プレート９４を備え、プレート９４から舌片９５を前方に延伸させている。この舌片は、キャリア１のセントラルボックス部７９内に嵌合するよう適合している。舌片は、鋸歯状突起９６を含み、突起９６は、係合が一度成されると蓋とキャリアを分離するには各部を破壊する必要があるように、鋸歯８０と一定方向で係合するよう位置し、適合している。鋸歯状突起９６の後方に、舌片を横切るように隔壁９７が配置され、隔壁９７は、蓋が完全にキャリアに挿入される際に、セントラルボックス部７９の口を閉鎖する。
【００２３】
舌片９５の両側には、２つの突出部９８のうちの一方がそれぞれ配置され、突出部９８は、蓋がキャリアに完全に挿入される際に、キャリアのボックス部７９とボックス部７７との間の開口７８を通って延びる。これにより、これらの突出部９８は、前述の構造からキャリアを解放させることができる。挿入部９３の各端には、他の２つの突起９９のうちの一方がそれぞれあり、各突起９９は、蓋１の各側方のボックス部７７に受容される。
【００２４】
挿入部７５及び９３は、それぞれ接着又は熱処理によってキャリア及び蓋内にそれぞれ固定されてもよい。別の構成において、挿入部７５及び９３は、キャリア及び蓋とそれぞれ一体的に形成されることももちろん可能である。
【００２５】
図５は、キャリア１及び蓋５の断面を示す。各チャネル７４は、（図５では右側のチャネルについてのみ示される）外側壁１１０１、フラットベース７１と平行な頂壁、内側壁１１０２、及び側方フランジ１１０４を備え、内側壁の底部からチャネル内に戻る方向へ延び、側方フランジ１１０４は、側方フランジ１１０４とフラットベース７１との間に空隙を残している。この空隙を除き、チャネル７４は閉断面である。蓋５のプレート９１は、その側方端に外側壁１１０５を有する。この側壁は、内側に延びるフランジ１１０６を有する。壁１１０５及びフランジ１１０６は、チャネル７４の壁１１０１〜１１０５及びフランジ１１０４によって画定される内部空間と一致、連結し、フランジ１１０６は、フランジ１１０４と垂直方向で係合し、その側縁部で蓋とキャリアの分離を防止する。ベース９１は、上方に延びてチャネル７４の内壁１１０３の内側に係合する内直立壁１１０６も有する。蓋のベースは、空隙に嵌合してチャネル７４を閉鎖することが分かる。
【００２６】
図６〜図８は、キャリア１及び取り付けられる袋１２０を示し、取り付けられる袋１２０は、袋の下の、バネを搭載する台座を含む機構と共に使用するよう意図されている。袋１２０は、キャリア１の下方でキャリア１の縁部に固定される長方形の口、及び４つのコーナープリーツ１２１を有し、図６に示されるように袋を折り畳み可能にしている。図７は、部分的に展開された袋を示し、図８は、完全に展開された袋を示し、この際、袋は収納される紙幣で満たされ、キャリア１内のフラップの下に保持される。このような袋をバネ付きの支持台座と併せて使用することで、伸縮性を有する袋の使用を不要にする。
【００２７】
袋が、折り畳まれた平坦な形態からキャリアの下方で最大の状態となるまで展開できるよう、他の形態の袋１２０が採用されてもよい。
【００２８】
図９〜図１３は、本発明の第一の実施形態にかかるロック１００を示す。ロック１００は、対応して成形される第二の部材１０２と不可逆式のロックを形成するよう成形される第一の部材１０１を備えている。第一の部材１０１は雄部材を備え、第二の部材１０２は雌部材を備えている。別の構成において、これらは入れ替えられてもよい。図１〜図８を参照した記載によるキャリア及び蓋を備えた装置は、挿入部９３が第一の部材１０１によって変更／置換されまた挿入部７５が第二の部材１０２によって変更／置換されるか、又はその逆とされた装置とすることができ、本発明によるキャリア及び蓋を備える装置を提供する。そのような装置はキャリア１を備え、紙幣を受けるよう適合されるとともに、蓋５を内部に摺動させてキャリア内の紙幣への進入を防止することができる側部７４を有し、キャリアの側部は、（図５に示すように）蓋の側部と係合する手段を有し、蓋は、キャリア上に対応して形成された第二の部材１０２と共に不可逆式なロックを形成された第一の部材１０１を備えた前縁を有している。
【００２９】
以下、装置を参照してロックをより詳細に説明する。しかし、ロックは、様々な別の分野での適用のために、当該装置から独立して利用され得ることが留意される。本明細書に記載される全ての特徴が、そのような他の分野における当該ロックに適用され得る。本発明の目的である不正開封が防止されたロック／装置の提供には、開封された証拠を残さずにロックが開封されなければ十分であることがさらに留意される。
【００３０】
さらに、先の本明細書の導入部において説明された態様に従い、様々な要素が単独で、又は相互に組み合わされて採用されてもよい。
【００３１】
図９及び図１０は、図１に示されるキャリア１と共に使用される蓋を示す。それは、概して平坦なプレート９１及び２つの長手方向側部を備え、長手方向側部は、キャリア１のチャネル７４内に摺動して嵌合する。蓋は、その前端に挿入部９３を備えている。挿入部９３は、蓋と独立して形成されてもよく、又は蓋と一体的に形成されてもよい。蓋は、示されているように一片の鋳造物で構成されていてもよく、この構成が好ましい。
【００３２】
雄部材１０１は、蓋の平面と直交する方向に突出する鋸歯状部１０２を備える。雌部材１０２は、雌部材の平面と直交する（かつ蓋とキャリアとが係合した際に蓋の平面と直交する）方向に突出する鋸歯状部１０８を備え、他の構成が図１１ａ及び図１１ｂに示されている。雄部材は、蓋の平面に延びる連結部１０５を更に備えている。雌部材１０２は、雌部材の平面（及び蓋とキャリアが係合した際の蓋の平面）に突出する連結部１１０を更に備える。雄部材及び雌部材の鋸歯状部１０２，１０８並びに雄部材及び雌部材の連結部１０５，１１０は、キャリアからの蓋の引き抜きを防止するように、互いに係合するようそれぞれ配されている。
【００３３】
雌部材の鋸歯状部１０８は、斜面１０９を備え、斜面１０９は、雄部材１０１を雌部材１０２に挿入する際の雄部材の鋸歯状部１０３による（特に、雄部材の鋸歯状部１０２の斜面１０３による）斜面１０９の係合が、雌部材１０２の鋸歯状部１０８が突出する雌部材の表面１１２から雄部材を離間させるようになっており、離間により雄部材の１０１の一部が雌部材の連結部１１０を横切ることを可能とし、これによって連結部１０５，１１０が、図１２に示されるように、連結係合することが可能となっている。
【００３４】
本構成に明らかに示されるように、雄部材及び雌部材上には、複数の鋸歯状部、及び複数の連結部がそれぞれ存在する。雄部材１０１は、摺動方向に互いに整列する一対の離間した鋸歯状部１０２１を備える。雌部材１０２は、対応する一対の鋸歯状部１０８を備える。雌部材は、突起形状の一対の連結部１１０であって、対向する側壁１１３上に設けられ、かつ互いに向かうように突出する一対の連結部１１０を備えている。雄部材は、雄部材の側縁に形成された、対応する一対の切り欠き１０５を備える。切り欠きは、雌部材の連結部を少なくとも部分的に受けるよう構成される。
【００３５】
雄部材は、雄部材及び雌部材の挿入／摺動方向に雄部材の前方最先端である前縁１０４を備える。前縁は、雌部材と雄部材が係合する際、最初に雌部材に進入する。鋸歯状部１０２１は、前縁に隣接して設けられている。鋸歯状部１０２１は、何れも同じ距離だけ前縁から離間している。雄部材の鋸歯状部の斜面１０３は、雄部材１０１の連結部１０５の摺動方向前方にあり、すなわち、連結部１０５は斜面よりも更に前縁から離間している。
【００３６】
鋸歯状部及び連結部の何れか又は両方は、多かれ少なかれ存在し得ると理解される。鋸歯状部及び連結部の何れか又は両方は、さらに異なる形状、すなわちより大きいか、若しくはより小さくてもよく、又は別の構成でもよい。本発明はこれに限定されない。
【００３７】
図から明らかであるように、雄部材１０１は、実質的に平面状であることが好ましい。図１〜図８の構成に関して先に説明されたように、雄部材は、舌片を備えることが好ましい。
【００３８】
雌部材の連結部を横切る雄部材の部分は、鋸歯状部１０２１から離間するか又は解放されている。当該部分は、実質的に平面状である。当該部分は、雄部材において最も薄い部分であることが好ましい。本構成において、当該部分は、雄部材の側縁部を備え、鋸歯状部を備える雄部材の部分から横方向外側に離間している。
【００３９】
鋸歯状部１０８が突出する表面１１２は、雌部材１０２のベースを形成している。頂部（明瞭性のために図１１ａ、図１１ｂ、及び図１３では省略されている）は、ベースから離間して蓋の平面と直交する方向に設けられている。頂部は、実質的に平面である。頂部は、鋸歯状部／連結部への接近が防止されるよう、実質的に閉じられている。この目的で、頂部は、完全に閉じられていてもよく、又は１つ又は複数の小さな開口を有していてもよい。頂部及びベースは、蓋及びベースと実質的に直交し、ベースと頂部の間に延びる側壁１１３によって接合されている。
【００４０】
雌部材の頂部は、図９に見られるように、対応して成形された雄部材１０１の上面１０７の傾斜前部を受ける傾斜前部を有していてもよい。
【００４１】
頂部と雌部材上の連結部との間の離間寸法は、蓋と雌部材の鋸歯状部との間の離間寸法よりも小さいことが好ましい。
【００４２】
図面及び記載から明らかなように、明瞭性のため雌部材の頂部は省略されるが、雌部材は、開いた口以外は実質的に閉じた中空構造を備える。本構成では、雄部材と雌部材が不可逆式のロックを形成した際に、雌部材の口を雄部材が実質的に閉じる構成であることが好ましい。
【００４３】
本明細書で説明されるように、本構成では、雄部材が雌部材に挿入された際に、鋸歯状部の斜面１０３，１０９が互いに係合し、雄部材の鋸歯状部の斜面が、雌部材の鋸歯状部の斜面を上がるようになっている。これにより、（鋸歯状部１０２が突出する）雄部材の平面部は、雌部材のベース１１２から徐々に離間する。平面で、鋸歯状部から離間し／解放され、かつ連結部／切り欠き１０５の前方に配された雄部材の部分は、雌部材の連結部材１１０と雌部材の頂部との間の空間を通過する。鋸歯状部１０２，１０８が互いに乗り越え、連結部１１０が連結部１０５を形成する切り欠きと並ぶと、雄部材は（もはや強制的にベース１１２から離間させられていないため）跳ね返り、連結部が係合する。２つの平面における不可逆式なロックが形成される。
【００４４】
前述されたように（蓋の平面と直交する方向に突出する鋸歯状部、及び連結部を備える）雄部材１０１及び雌部材１０２を使用することが好ましいが、雄部材及び雌部材が別の構成で形成されていてもよい。
【００４５】
更なる態様で、互いに単独で又は相互を任意に組み合わされて、及び前述の雄部材１０１及び雌部材１０２と組み合されて、又はそれとは独立して取られ得る態様を、以下に説明する。これらの追加の態様は、前述の雄部材１０１及び雌部材１０２を備える実施形態の中で説明されるが、これに限定されない。例えば、図１〜図８の構成は、（前述の雄部材１０１及び雌部材１０２の使用は省略するが）以下の態様の１つ若しくは複数、又は全てを導入することによって変更され、本発明の実施形態を形成し得る。
【００４６】
一態様において、シールド１１４は、雌部材の口から又は雌部材の口に隣接する場所から突出するよう設けられている。シールド１１４は、図１２に示され、図１２は取り外された雌部材１０２（図１１ａ及び図１１ｂ参照）を規定する挿入部を備えたキャリアのベース７１の前部を示す部分斜視図である。前述のように、雌部材１０２は、キャリア１のベース７１から前方に延びる前タブ８１に嵌合するセントラルボックス部によって画定されることが好ましい。本構成において、シールドは、ベース７１と一体的に形成されている。しかし、様々な別の構成が当業者によって容易に想到されるだろう。本構成における雌部材１０２の口からのその突起は、雌部材１０２の口がシールド１１１が突出するベース７１の縁１１２と実質的に並んだ結果である。本構成において、雌部材１０２を規定する挿入部の縁１１６は、雌部材１０２の口を規定する縁１１６であり、キャリアのベースの縁１１５と直線状に並ぶことが好ましい。
【００４７】
シールド１１４は、袋１２０に隣接して／雌部材１０２の鋸歯状部１０８が突出する雌部材の表面１１２に隣接して延びる雌部材１０２の口の縁の上に（又は少なくとも雌部材１０２の口の縁に隣接して）設けられることが好ましい。
【００４８】
シールドを設けることにより、雌部材１０２の口への接近、及び／又は鋸歯状部１０２１，１０８への接近が著しく妨げられ、装置の安全性がより強化される。これに関連し、シールドの具体的形態及びその形成／取付手段は、口から／口に隣接する場所からシールドが突出して口への接近を防御する限り決定的な要素でないことに留意することが重要である。
【００４９】
シールド１１４は、雄部材１０１の幅と実質的に等しい幅を有することが好ましいが、特にこれに限定されない。シールド１１４は、雄部材１０１よりも狭い又は広い幅を有し得る。シールド１１４は、雌部材１０２の口よりも狭い、広い、又は雌部材１０２の口と実質的に等しい幅を有し得る。
【００５０】
シールドは、図１２に示されるように実質的に平面状であってもよく、又は代替的に幾つかの三次元形態を有し得る。口からの突起は、シールドが効果を発揮するのに著しく大きい必要はない。本実施形態において、突起は、５ｍｍ以下の長さで口から突出するが、この限りではない。
【００５１】
別の態様において、キャリアと対向する蓋の表面は、図１０に示されるように、第一の部材（本実施形態における雄部材１０１）に直接隣接する凹所１１７を備える。凹所は、リブ１１８によって第一の部材１０１から分離されることが好ましいが、この限りではない。本実施形態において、３つの凹所が第一の部材１０１に直接隣接して設けられており、それらは一列に配置されている。第一の部材は、示されるように、少なくとも部分的に３つ全ての凹所にわたって幅方向に広がっている。凹所は、リブ１１９によって互いに分離されている。より多いか又は少ない数の凹所が設けられ得ることが理解されるべきである。単独の凹所は設けられ得る。さらに、示されるように、凹所の列が複数存在し、区分するリブの格子のようなパターンを形成してもよい。本実施形態における凹所は長方形の形態であり、且つ列に配置されるが、この限りではない。
【００５２】
凹所を設けることにより、雌部材１０２の口への接近及び／又は鋸歯状部１０２１及び１０８への接近はより一層妨げられ、装置の安全性がより強化される。道具は、口よりもむしろ凹所（又は複数の凹所が設けられた凹所の１つ）におそらく進入する。これに関連し、凹所（又は複数の凹所）の具体的形態／配置は、凹所が口への接近を妨げる限り決定的な要素でないことに留意することが重要である。
【００５３】
さらに別の態様において、バリア１２２は、図１１ｂに示されるように、口に直接隣接する雌部材１０２内部に設けられ及び／又は図１１ｂに示されるように、雌部材１０２の口と鋸歯状部１０８との間に配置されるよう雌部材１０２内部に設けられる。
【００５４】
図１１ａは、バリア１２２が省略された代替的な雌部材１０２を示す。
【００５５】
バリアは、実質的に口の幅にわたって架かっていてもよい。バリアは、雄部材１０１の幅にわたって架かっていてもよい。バリアは、鋸歯状部１０２１，１０８が設けられた雄部材又は雌部材の部分の幅にわたって広がっていてもよい。
【００５６】
バリアは、雌部材１０２の鋸歯状部１０８が突出する雌部材の表面１１２から突出することが最も好ましい。示されるように、バリアは、平坦な表面を有し、雌部材の表面１１２から離間して平行に横たわっていてもよい。バリアは、リブを備えていてもよい。
【００５７】
しかし、バリアの形状は特に限定されないことが留意される。バリアの目的は、窃盗をしようとする人がロックの係合を解くために雌部材１０２の口への挿入を試み得るあらゆる道具に対し、さらなる障害となる物を提供することにある。バリアは、雄部材１０１を雌部材１０１から解放するあらゆる試みの間、雄部材１０１の鋸歯状部１０２１の移動を遮るというさらなる利点を有する。これに関連し、バリアは、さらなる鋸歯状部として形成され得る。
【００５８】
最後の態様において、キャリアの後縁（不図示）は、対応して成形されるキャリア上の第四の部材（不図示）と共に不可逆式のロックを形成するよう成形された第三の部材（不図示）を備え、第三及び第四の部材のいずれかは雄部材を備え、及び第三及び第四の部材の他方は雌部材を備え、かつ第三の部材への接近を防止するために第三の部材をカバーするための蓋に固定されるカバーを備えている。
【００５９】
カバーは、蓋とキャリアが係合する際にキャリアと異なる方を向く蓋の面に固定されることが好ましい。カバーは、カバーが取り除かれた証拠を残すように固定される。カバーは、蓋に溶接又は接着されていてもよい。
【００６０】
第三の部材は、蓋と一元的に形成されることが好ましい。第三の部材は、蓋と一体的に鋳造されてもよい。
【００６１】
第三の部材は、キャリア上の対応する機構と一定方向で係合する鋸歯状部を備えることが好ましい。
【００６２】
カバーの形態は、第三の部材への接近を妨げられる限り特に限定されない。カバーは、第三の部材を完全に覆う。
【００６３】
なお、第一の部材及び第二の部材と同様、第三の部材及び第四の部材は、複数設けられてもよく、又は１つの第三の部材及び１つの第四の部材のみが設けられてもよい。
【００６４】
装置の追加の好ましい機構は、前述の実施形態の何れかに組み込まれてもよい／前述の態様の何れかと組み合わされてもよく、以下を含む。すなわち、
不正開封された場合に、キャリアの袋１２０の内容物の一部又は全部に記録することを可能にし、且つそこから及び／又はそのような袋１２０内の孔自体からの内容物の引き抜きを防止するよう形成される複数の孔の蓋への形成。
キャリアの側部のチャネル７４への開口の一部又は全部を覆うためのカバータブの設置。そのようなカバータブは、第二の部材によって形成されてもよい。
【図１】
2020530178.tif 000003
【図２】
2020530178.tif 000004
【図３】
2020530178.tif 000005
【図４】
2020530178.tif 000006
【図５】
2020530178.tif 000007
【図６】
2020530178.tif 000008
【図７】
2020530178.tif 000009
【図８】
2020530178.tif 000010
【図９】
2020530178.tif 000011
【図１０】
2020530178.tif 000012
【図１１ａ】
2020530178.tif 000013
【図１１ｂ】
2020530178.tif 000014
【図１２】
2020530178.tif 000015
【図１３】
2020530178.tif 000016
【国際調査報告】
2020530178.tif 000017
2020530178.tif 000018
2020530178.tif 000019